(57)【要約】【課題】ノブの形状やデザインを色々と変えることができ、ノブやホルダーがよりしっかりと結合され、作動中にノブが製品ケースの外方に離脱しないナビゲーションスイッチ組立体を提供する。【解決手段】製品ケースの内部に設けられる印刷回路基板上に固定され、調節スティックが上部に突出しているナビゲーションスイッチと、上記ナビゲーションスイッチの上端に嵌め込まれるノブと、上記ノブが製品ケースの外方に離脱することを防ぐために製品ケースの内部でノブと結合するホルダーと、ノブとホルダーとを結合する結合手段と、を含むことを特徴とする。【選択図】　図２
2004039624.tif 000002
【特許請求の範囲】
【請求項１】
製品ケースの内部に設けられる印刷回路基板上に固定され、調節スティックが上部に突出しているナビゲーションスイッチと；
前記ナビゲーションスイッチの上端に嵌め込まれるノブと；
前記ノブが製品ケースの取付け孔を通して外部に離脱することを防ぐために前記製品ケース内部で前記ノブと結合するホルダーと；
前記ノブとホルダーとを結合する結合手段と；
を含むことを特徴とするナビゲーションスイッチ組立体。
【請求項２】
前記結合手段は、前記ノブの下端の中孔軸の外周面に対向して形成された１対のガイド溝と１対の固定溝と；前記ホルダーの内部面に対向して形成された１対のリブと１対のテンションリブとから構成されていることを特徴とする請求項１に記載のナビゲーションスイッチ組立体。
【請求項３】
前記ガイド溝は垂直ガイド溝と前記垂直ガイド溝の端部に連結された水平ガイド溝とから構成され、前記固定溝は垂直溝から構成され、
前記リブは前記ホルダーの中心方向に突出した形で成り、前記テンションリブは円周方向に長く突出し、且つその端部に係止突起が中心方向に突出した形で成っており、
前記リブが前記垂直ガイド溝に締結するよう前記ホルダーを前記中孔軸に垂直方向に嵌め込んだ後、円周方向に回転させて前記リブが前記水平ガイド溝の側面に回転して入られると同時に、前記係止突起が前記垂直固定溝に結合されることを特徴とする請求項２に記載のナビゲーションスイッチ組立体。
【請求項４】
前記ホルダーの外径は、前記製品ケースの開口より大径を有することを特徴とする請求項２に記載のナビゲーションスイッチ組立体。
【請求項５】
前記ノブの上端部は、前記製品ケースの取付け孔より大きく形成されることを特徴とする請求項２に記載のナビゲーションスイッチ組立体。
【請求項６】
前記製品ケースは、前記取付け孔の周りに凹状に形成され、前記ノブの高さは、前記製品ケースの平らな部分の高さと同一に構成されることを特徴とする請求項２に記載のナビゲーションスイッチ組立体。
【請求項７】
前記製品ケースは、前記開口の周りに凹状に形成され、前記ノブの高さは、前記製品ケースの平らな部分の高さより高く構成されることを特徴とする請求項２に記載のナビゲーションスイッチ組立体。
【請求項８】
前記ノブでは、前記ナビゲーションスイッチに向かって圧力を加えられる押圧板が更に備えられていることを特徴とする請求項１に記載のナビゲーションスイッチ組立体。
【請求項９】
前記押圧板では、加圧する手が滑ることを防ぐための摩擦口を含むことを特徴とする請求項８に記載のナビゲーションスイッチ組立体。
【発明の詳細な説明】
【０００１】
【発明の属する技術分野】
本発明は、ナビゲーションスイッチ組立体に関し、より詳しくは、情報機器を使用するときに使用者が実行しようとする使用者環境への移動及び選択のためのナビゲーションスイッチ組立体に関するものである。
【０００２】
【従来の技術】
一般に、ナビゲーションスイッチ組立体は、全ての電子製品に用いられるが、特にＰＤＡ、ノートパソコン、インターネット端末機、及びリモートコントローラーなどの小型無線機器に多く用いられる。
【０００３】
図１に示すように、従来のナビゲーションスイッチ組立体は、印刷回路基板８０上に固定され、上部に調節スティック８３が備えられているナビゲーションスイッチ８２と、使用者が画面移動時にプッシュできる押圧板８１を有するノブ８４などを含む。
【０００４】
上記ノブ８４の円周の周りには羽部分８５が形成され、その下部にスティック挿入口８４ａが形成されている。上記スティック挿入口８４ａには、ナビゲーションスイッチの上端に突出した調節スティック８３が挿入される。
【０００５】
このように構成された従来のナビゲーションスイッチ組立体の組立順について説明すると、印刷回路基板８０上に固定されたナビゲーションスイッチ８２を製品ケース８６の内部に設け、羽部分８５が備えられたノブ８４を上記ナビゲーションスイッチの上部に突出した調節スティック８３に嵌め込んで設けた後、最後に取付け孔８７を上記ノブ８４に合わせて製品ケース８６を組立てする。
【０００６】
図１に示すように、このように設けられた従来のナビゲーションスイッチ組立体にはノブの羽部分８５が備えられているので、使用者がノブ８４を製品ケース８６の外方に引っ張っても羽部分８５が製品ケース８６に掛かり、ノブ８４が製品ケース８６の外方に取り外されることを防ぐ。
【０００７】
このように、ノブが製品ケースの外方に取り外されることを防ぐためには、ノブの円周の周りに羽部分を必ず備えるべきであるが、この羽部分があるために組立てするときに製品ケースを最後に設置しなければならず、ノブ上端のサイズを製品ケース上に形成された取付け孔より大きくすることができなかったのである。
【０００８】
また、従来のナビゲーションスイッチ組立体では、上記ナビゲーションスイッチ組立体が適用される製品のデザインとの調和のために、ノブのデザインを色々変化させることができず、当業界ではデザイン多様化の制約要素として認識されてきた。
【０００９】
【発明が解決しようとする課題】
本発明は、従来のナビゲーションスイッチ組立体に関する上記問題点に鑑みてなされたものであり、本発明の目的は、色々とノブの形状やデザインが多様化できるナビゲーションスイッチ組立体を提供することである。
【００１０】
また、本発明の他の目的は、ノブとホルダーを容易に結合且つ解除できる結合手段を提供し、ノブとホルダーがよりしっかり結合し、作動中にノブが製品ケースの外方に取り外されないナビゲーションスイッチ組立体を提供することである。
【００１１】
【課題を解決するための手段】
上記目的を果たすための本発明のナビゲーションスイッチ組立体は、製品ケースの内部に設けられる印刷回路基板上に固定され、調節スティックが上部に突出しているナビゲーションスイッチと；前記ナビゲーションスイッチの上端に嵌め込まれるノブと；前記ノブが製品ケースの取付け孔を通して外部に離脱することを防ぐために前記製品ケース内部で前記ノブと結合するホルダーと；前記ノブとホルダーとを結合する結合手段と；を含むことを特徴とする。
【００１２】
また、前記結合手段は、前記ノブの下端の中孔軸の外周面に対向して形成された１対のガイド溝と１対の固定溝と；前記ホルダーの内部面に対向して形成された１対のリブと１対のテンションリブとから構成されることが望ましい。
【００１３】
ここで、前記ガイド溝は垂直ガイド溝と前記垂直ガイド溝の端部に連結された水平ガイド溝とから構成され、前記固定溝は垂直溝から構成され、前記リブは前記ホルダーの中心方向に突出した形で成り、前記テンションリブは円周方向に長く突出し、且つその端部に係止突起が中心方向に突出した形で成っており、前記リブが前記垂直ガイド溝に締結するよう前記ホルダーを前記中孔軸に垂直方向に嵌め込んだ後、円周方向に回転させて前記リブが前記水平ガイド溝の側面に回転して入られると同時に、前記係止突起が前記垂直固定溝に結合されることが望ましい。
【００１４】
【発明の実施の形態】
以下に添付図面を参照しながら、本発明にかかるナビゲーションスイッチ組立体の好適な実施の形態について詳細に説明する。
【００１５】
図２は、本発明のナビゲーションスイッチ組立体に係る一実施の形態を示す分解斜視図である。同図で示すように、本発明のナビゲーションスイッチ組立体は、ナビゲーションスイッチ２０、ノブ１０、ホルダー１５、及び結合手段９からなっている。
【００１６】
上記ナビゲーションスイッチ２０は、製品ケース２２の内部に設けられる印刷回路基板２４上に固定され、上部に柱状に突出した調節スティック２１を設けている。
【００１７】
上記ノブ１０は、使用者が作動するときの滑りを防止するための摩擦口１１ａが形成された押圧板１１と、その下部に結合手段９が備えられるいる円筒形中孔軸１３とを有する。
【００１８】
上記ホルダー１５には、その内部に結合手段９が備えられ、製品ケース２２内部で結合手段９を介してノブ１０に結合される。
【００１９】
上記結合手段９は、上記ノブの下端の中孔軸１３の外周面に１対のガイド溝１２と１対の固定溝１４とが対向して形成され、上記ホルダー１５の内部面に１対のリブ１６と１対のテンションリブ１８とが対向して形成されている。
【００２０】
同図で示すように、上記ガイド溝１２は垂直ガイド溝１２ａと該垂直ガイド溝の端部に連結された水平ガイド溝１２ｂとからなり、固定溝１４は垂直溝から成っている。上記リブ１６はホルダー１５の中心方向に突出した形状であり、テンションリブ１８は円周方向に長く突出し、且つその端部に係止突起１８ａが中心方向に突出して成る形状である。
【００２１】
図３Ａ及び図３Ｂは、本発明の腰部である結合手段９の作動関係を示す斜視図である。
【００２２】
図３Ａに示すように、ノブ１０の下端にある中孔軸１３を製品ケース２２に形成された取付け孔２６の外側から内側へ挿入し、製品ケース２２の内部でホルダー１５と結合させる。
【００２３】
ノブ１０とホルダー１５との結合関係を見てみると、まず、ホルダー１５の内部で対向に形成された１対のリブ１６が中孔軸１３の円周面に対向に形成された１対の垂直ガイド溝１２ａに嵌め込まれるように中孔軸１３をホルダー１５の内部に挿入すると、ホルダー１５の内部にある１対のテンションリブ１８は中孔軸１３の外径がホルダー１５の内径より大きいため若干開く。
【００２４】
この状態で、図３Ｂに示すように、ノブ１０を固定し、ホルダー１５を右側方向に回転させると、上記リブ１６が水平ガイド溝１２ｂに沿って右側に回転して入られると同時に、上記テンションリブ１８の端部に突設された係止突起１８ａが固定溝１４の中に入って固定される。
【００２５】
このように結合された後、ナビゲーションスイッチ２０の上端に突出した調節スティック２１を中孔軸の内部に挿入してナビゲーションスイッチ組立体を完成する。
【００２６】
このように結合されたノブ１０とホルダー１５は、ガイド溝１２に締結されたリブ１６のために、左右側に揺動できず、固定溝１４に締結された係止突起１８ａのために上下側にも動くことができない。
【００２７】
また、ホルダー１５が製品ケースの内部でノブ１０をしっかり押さえているので、ノブ１０を取り外そうとしてもホルダー１５が製品ケース２２に引っかかってノブ１０が製品ケース２２の外方に離脱されることが防止できる。
【００２８】
また、このようにノブ１０とホルダー１５が別々に構成されて組み立てられ、ノブに従来のような羽部分がないので、製品ケース２２を最後に組立てする必要がなくなり、ノブの下端の中孔軸１３のみを取付け孔２６を通して製品ケースの外部から内部へ挿入した後、製品ケースの内部でノブ１０とホルダー１５とを結合させる。
【００２９】
このようにナビゲーションスイッチ組立体を構成することにより、ノブの形状が製品ケースの取付け孔のサイズや形状によって制限されず、多種多様なデザインに構成でき、ホルダーを製品ケースの内部でノブと結合することにより、従来のような羽部分をノブに構成する必要がなくなる。
【００３０】
図４は、本発明のナビゲーションスイッチ組立体が設けられた断面図であり、ノブ１０の上部形状が取付け孔２６より大きく構成されていることがわかる。その他構成要素などは前述した実施の形態と同様である。
【００３１】
図５は、本発明の他の実施の形態を示す断面図であり、製品ケース２２の形状が取付け孔２６の周りから内側に凹状に曲げられており、ノブ１０の高さと製品ケース２２の高さを同一にしている。
【００３２】
以上、添付図面を参照しながら本発明のナビゲーションスイッチ組立体の好適な実施形態について説明したが、本発明はかかる例に限定されない。例えば、本発明のノブは従来技術と違って羽部分がないので、三角形、四角形など多様な形状に構成することができる。
【００３３】
【発明の効果】
上記のような本発明の実施の形態によるナビゲーションスイッチ組立体は、ノブとホルダーが別々に構成され組み立てられ、ノブに従来のような羽部分がないため、製品ケースを最後に組立てする必要がなくなり、ノブの下端の中孔軸のみを製品ケース上に形成された取付け孔を通して製品ケースの外部から内部に挿入して組立することができるので、ノブの形状が製品ケースの取付け孔のサイズ及び形状によって制限されず、様々なデザインに構成することができる。
【００３４】
また、本発明は、上記のように容易に結合及び解除できる結合手段を利用することにより、より堅固なナビゲーションスイッチ組立体が提供でき、作動中にノブが製品ケースの外方に離脱することを確実に防止できる。
【図面の簡単な説明】
【図１】従来のナビゲーションスイッチ組立体を示す断面図。
【図２】本発明のナビゲーションスイッチ組立体を示す分解斜視図。
【図３Ａ】図２に示された本発明の腰部である結合手段の作動関係を示す斜視図。
【図３Ｂ】図２に示された本発明の腰部である結合手段の作動関係を示す斜視図。
【図４】本発明によるナビゲーションスイッチ組立体を示す断面図。
【図５】本発明の他の実施の形態によるナビゲーションスイッチ組立体を示す断面図。
【符号の説明】
１０；ノブ、　　　　　　　　　１６；リブ
１１；押圧板、　　　　　　　　１８；テンションリブ
１２；ガイド溝、　　　　　　　　２０；ナビゲーションスイッチ
１３；中孔軸、　　　　　　　　　２２；製品ケース
１４；固定溝、　　　　　　　　　２４；印刷回路基板
１５；ホルダー、　　　　　　　　２６；取付け孔
２１；調節スティック
【図１】
2004039624.tif 000003
【図２】
2004039624.tif 000004
【図３Ａ】
2004039624.tif 000005
【図３Ｂ】
2004039624.tif 000006
【図４】
2004039624.tif 000007
【図５】
2004039624.tif 000008